(57)【要約】【課題】電気湯沸かし器において、蓋体取り外し時の操作性を良くすることを目的とする。【解決手段】可動片３０を蓋体２１に設け、蓋体２１を閉じた時には可動片３０が蓋体２１の外表面から突出せず、蓋体２１を開いた時に蓋体２１の外表面から可動片３０が突出してその状態を保持するようにした。これにより、蓋体２１を閉じた時には誤って可動片３０を引っ掛けることがなく、蓋体２１を上枠２２から取り外す際には、可動片３０を常に手でもつことが可能になり、操作性が良いものである。【選択図】図１
2005160754.tif 000002
【特許請求の範囲】
【請求項１】
液体を加熱する容器と、前記容器の外周を覆い外郭を構成するボデーと、前記ボデー上部に載置される上枠と、前記容器の上方開口部を覆い前記上枠のヒンジ部を支点に回動する着脱自在な蓋体と、前記蓋体を上枠から取り外す時に保持するため蓋体に設けられた可動片とを備え、前記可動片は、前記蓋体を閉じた時には蓋体の外表面から非突出状態を保持し、蓋体を開いた時には蓋体の外表面から突出しその状態を保持する電気湯沸かし器。
【請求項２】
蓋体が鉛直方向からヒンジ部側に傾斜した時に可動片が突出する請求項１に記載の電気湯沸かし器。
【請求項３】
蓋体を上枠に固定するロックレバーと、前記ロックレバーを操作する操作つまみを備え、前記蓋体を開いた時に前記操作つまみが前記蓋体の外表面から突出するようにし、操作つまみを可動片とした請求項１または２に記載の電気湯沸かし器。
【請求項４】
可動片は、蓋体の上枠からの取り外しと連動して非突出状態となるようにした請求項１〜３のいずれか１項に記載の電気湯沸かし器。
【発明の詳細な説明】
【技術分野】
【０００１】
本発明は、上枠のヒンジ部を支点に回動するとともに着脱自在な蓋体を備えた電気湯沸かし器に関するものである。
【背景技術】
【０００２】
従来、この種の電気湯沸かし器としては、給水や清掃を行うため、蓋体が上枠のヒンジ部に対し回動自在かつ着脱自在に取り付けている（例えば、特許文献１参照）。
【特許文献１】特開２００２−１０２０６６号公報
【発明の開示】
【発明が解決しようとする課題】
【０００３】
しかしながら、前記従来の構成では、蓋体を開く際には、操作つまみを持ってロックを外し、操作つまみを持ったままの状態で蓋体を開放することができるが、蓋体を上枠から外そうとする際は、操作つまみから一旦手を離すと、安全上、操作つまみがばねに付勢されて閉じてしまうようになっている。このため、蓋体の取り外し時には蓋体に持ち手がなく操作しづらいものになっていた。
【０００４】
本発明は、前記従来の課題を解決するもので、通常時は何ら問題なく扱え、蓋体を上枠から取り外す際には操作性を良くした電気湯沸かし器を提供することを目的とする。
【課題を解決するための手段】
【０００５】
前記従来の課題を解決するために、本発明の電気湯沸かし器は、蓋体を上枠から取り外す時に保持するための可動片を備え、可動片は、蓋体を閉じた時には蓋体の外表面から非突出状態を保持し、蓋体を開いた時には蓋体の外表面から突出しその状態を保持するようにしたものである。
【０００６】
これにより、蓋体を閉じた時には誤って可動片を引っ掛けることがなく、蓋体を上枠から外す際には常に手でもつことが可能であるため、操作性の良い電気湯沸かし器が提供できる。
【発明の効果】
【０００７】
本発明の電気湯沸かし器は、通常時は何ら問題なく扱え、蓋体を上枠から取り外す際には操作性が良いものである。
【発明を実施するための最良の形態】
【０００８】
第１の発明は、液体を加熱する容器と、前記容器の外周を覆い外郭を構成するボデーと、前記ボデー上部に載置される上枠と、前記容器の上方開口部を覆い前記上枠のヒンジ部を支点に回動する着脱自在な蓋体と、前記蓋体を上枠から取り外す時に保持するため蓋体に設けられた可動片とを備え、前記可動片は、前記蓋体を閉じた時には蓋体の外表面から非突出状態を保持し、蓋体を開いた時には蓋体の外表面から突出しその状態を保持する電気湯沸かし器とすることにより、蓋体を閉じた時には誤って可動片を引っ掛けることがなく、蓋体を上枠から取り外す際には常に手でもつことが可能であるため、操作性の良い電気湯沸かし器が提供できる。
【０００９】
第２の発明は、特に、第１の発明において、蓋体が鉛直方向からヒンジ部側に傾斜した時に可動片が突出することにより、蓋体がほぼ完全に開いた状態において初めて可動片が突出するため、蓋体の半開き状態時に可動片を誤って引っ掛けるということがなく安全使用ができる。
【００１０】
第３の発明は、特に、第１または第２の発明において、蓋体を上枠に固定するロックレバーと、前記ロックレバーを操作する操作つまみを備え、前記蓋体を開いた時に前記操作つまみが前記蓋体の外表面から突出するようにし、操作つまみを可動片としたことにより、別個に可動片が不要であり部品点数の増加を少なくすることができる。
【００１１】
第４の発明は、特に、第１〜第３のいずれか１つの発明において、可動片は、蓋体の上枠からの取り外しと連動して非突出状態となるようにしたことにより、蓋体を上枠から取り外した状態においては、蓋体から可動片が突出しておらず、手を滑らせて蓋体を落下しても可動片を破損するといったことがない。
【００１２】
以下、本発明の実施の形態について、図面を参照しながら説明する。なお、この実施の形態によって本発明が限定されるものではない。
【００１３】
（実施の形態１）
図１、図２は、本発明の実施の形態１における電気湯沸かし器を示すものである。
【００１４】
図に示すように、電気湯沸かし器の蓋体２１は、上枠２２に設けたヒンジ部２３を支点に回動し、かつ着脱自在にヒンジレバー２４を介して取り付けられている。蓋体２１を閉じた状態では、上枠２２に設けたフック部２５とそれに係合するロックレバー２６により上枠２２に固定される。前記ロックレバー２６は、蓋体２１に設けた操作つまみ２７の操作部２７ａを持ち上げることで、蓋体２１内に入りフック部２５から離れるものである。この操作つまみ２７の操作により、蓋体２１は上枠２２との固定が解除され、開成することができる。蓋体２１を操作しない時には、操作つまみ２７は安全面から蓋体２１内のばね（図示せず）により付勢されて閉じられ、蓋体２１の外表面からの突出がなくなり、誤って操作つまみ２７を引っ掛けて本体２８を倒したりしないようになっている。
【００１５】
また、蓋体２１の外表面２１ａ側には、蓋体２１を上枠２２から取り外す際に保持するため可動片３０を設けている。この可動片３０は、蓋体２１を閉じた時には蓋体２１の中に収納されて外表面からの非突出状態を保持し、蓋体２１を開いた時には蓋体２１の外表面から突出しその状態を保持するようになっている。すなわち、蓋体２１を開いた時には突出した可動片３０を手で持つことが可能になるものである。
【００１６】
可動片３０を突出させるための構成例としては、蓋体２１を開けてその内面側２１ｂが上枠２２から浮いた時に、これを検知片３４で検知し、内部機構の働きにより可動片３０を強制的に突出させるようにしている。
【００１７】
また、本実施の形態における電気湯沸かし器は、液体を加熱する容器３２と、容器３２の外周を覆い外郭を構成するボデー３３を備えている。前記蓋体２１は容器３２の上方開口部を覆っており、上枠２２はボデー３３の上部に載置されているものである。
【００１８】
以上のように構成された電気湯沸かし器では、操作つまみ２７は人の手により操作する時以外は非突出状態が保持されている。また、蓋体２１が閉じられている時や蓋体２１が完全に閉じられず上枠２２に載っているような状態の時には、可動片３０は蓋体２１の中に収納されているため、外表面２１ａに凸部がなく誤って引っ掛けてしまうことがない。
【００１９】
そして、蓋体２１を上枠２２から取り外す際には、蓋体２１のロックを外し、蓋体２１をヒンジ部２３側に倒して解放する（図１の状態）。その状態で操作つまみ２７から手を離した場合でも可動片３０が突出しているため、これを常に手でもつことが可能であるため、蓋体２１のヒンジレバー２４をヒンジ部２３から外すことで、蓋体２１は上枠２２から容易に取り外すことができ、操作性が良いものである。すなわち、可動片３０が突出しているため、手を離した操作つまみ２７をもう一度操作し直すといったことや、容器２９側に面した温度のやや高い内面側２１ｂを持って蓋体２１を取り外すといったことが不要となるものである。
【００２０】
このように、本実施の形態における電気湯沸かし器は、通常時は何ら問題なく扱え、蓋体を上枠から取り外す際には操作性が良いものである。
【００２１】
（実施の形態２）
図３は、本発明の実施の形態２における電気湯沸かし器を示すものである。実施の形態１と同一要素には同一符号を付して説明を省略する。
【００２２】
本実施の形態においては、図に示すように、蓋体２１が鉛直方向からヒンジ部２３側に傾斜した時に傾斜角度を検知して可動片３０が突出するするようにしたものである。
【００２３】
すなわち、蓋体２１の半開き状態時、例えば、開成途中、あるいは蓋体２１と上枠２２の間に何かが挟まれているような状態においては、可動片３０が突出せず、蓋体２１がほぼ完全に開いた状態以外は蓋体２１の外表面２１ａに可動片３０が突出しないものである。これにより、可動片３０を誤って引っ掛けることがないようになっている。
【００２４】
このように、本実施の形態における電気湯沸かし器は、蓋体２１の半開き状態時に可動片を誤って引っ掛けるということがなく安全使用ができるものである。
【００２５】
（実施の形態３）
図４は、本発明の実施の形態３における電気湯沸かし器を示すものである。実施の形態１と同一要素には同一符号を付して説明を省略する。
【００２６】
本実施の形態においては、図に示すように、蓋体２１を上枠２２に固定するロックレバー２６を操作する操作つまみ２７が、蓋体２１を開いた時に蓋体２１の外表面２１ａから突出するようにし、操作つまみ２７を可動片３０としたものである。
【００２７】
すなわち、本実施の形態においては、可動片３０を設けず、蓋体２１を開いた時には内部機構の働きにより、操作つまみ２７が突出し、可動片３０の機能を果すようになっている。
【００２８】
このように、本実施の形態における電気湯沸かし器は、操作つまみ２７を活用することで、別個に可動片３０が不要となり部品点数の増加を少なくすることができるものである。
【００２９】
（実施の形態４）
図５は、本発明の実施の形態４における電気湯沸かし器を示すものである。実施の形態１、３と同一要素には同一符号を付して説明を省略する。
【００３０】
本実施の形態においては、図に示すように、可動片３０（ここでは操作つまみ２７）は、蓋体２１を開いた時に蓋体２１の外表面２１ａから突出するが、蓋体２１の上枠２２からの取り外しと連動して非突出状態となるようにしたものである。
【００３１】
すなわち、蓋体２１の上枠２２からの取り外し時には、上枠２２と当接していた蓋体２１内の摺動体３１が非当接状態となるので、これと連動して、可動片３０（操作つまみ２７）は蓋体２１表面から非突出状態となるものである。
【００３２】
このように、本実施の形態における電気湯沸かし器は、蓋体２１を上枠２２から取り外した状態においては、蓋体２１から可動片３０が突出しておらず、手を滑らせて蓋体２１を落下しても可動片３０（操作つまみ２７）を破損するといったことがないものである。
【産業上の利用可能性】
【００３３】
本発明の電気湯沸かし器は、通常時は何ら問題なく扱え、蓋体を上枠から取り外す際には操作性が良いので、蓋体の付いたコーヒ沸かし器や給湯機器などにも適用できる。
【図面の簡単な説明】
【００３４】
【図１】本発明の実施の形態１における電気湯沸かし器の蓋体開成時の斜視図
【図２】同電気湯沸かし器の蓋体閉成時の斜視図
【図３】本発明の実施の形態２における電気湯沸かし器の側面図
【図４】本発明の実施の形態３における電気湯沸かし器の蓋体開成時の斜視図
【図５】本発明の実施の形態４における電気湯沸かし器の蓋体開成時の斜視図
【符号の説明】
【００３５】
２１  蓋体
２１ａ  蓋体の外表面
２２  上枠
２３  ヒンジ部
２６  ロックレバー
２７  操作つまみ
３０  可動片
３２  容器
３３  ボデー
【図１】
2005160754.tif 000003
【図２】
2005160754.tif 000004
【図３】
2005160754.tif 000005
【図４】
2005160754.tif 000006
【図５】
2005160754.tif 000007